(57)【要約】【課題】光ディスクのローディング時に、光ディスクに記録された音声関連情報等の情報データに対応する画像データを取得するとともに、その取得した画像データを音声関連情報等の情報データと関連付けしてデジタルオーディオプレーヤへデータ転送可能なディスクローディング装置を提供する。【解決手段】光ディスクのローディング時に、トレイ１に載置した光ディスクの上面側へジャケットサイズの用紙を重畳配置し、光ディスクの移送と連動してジャケットサイズの用紙を移送させる。このジャケットサイズの用紙の移送動作に同期してその用紙の表面をラインセンサ４で画像データとして読み取る。読み取った画像データを光ディスクの情報データと関連付けして、デジタルオーディオプレーヤへのデータ転送を可能にする。【選択図】図１
2007311008.tif 000002
【特許請求の範囲】
【請求項１】
光ディスクを再生可能な位置へローディングし、または前記光ディスクを排出するトレイを備えたディスクローディング装置において、
前記光ディスクに対応する情報を標記したジャケットサイズの用紙を前記トレイに載置した前記光ディスクの上面側へ重畳配置するように構成するとともに、
前記光ディスクのローディング時に、前記光ディスクの上面側へ重畳配置した前記用紙の表面を画像データとして読み取る画像データ取得手段を備えたことを特徴とするディスクローディング装置。
【請求項２】
前記画像データ取得手段は、前記光ディスクが載置された前記トレイに前記ジャケットサイズの用紙が載置されていない場合は、前記光ディスクのレーベル面を画像データとして読み取るように構成したことを特徴とする請求項１記載のディスクローディング装置。
【請求項３】
前記光ディスクのローディング時に、前記トレイに載置された前記光ディスクと、この光ディスクの上面側に重畳配置された前記ジャケットサイズの用紙とを分離する分離手段を備えたことを特徴とする請求項１から請求項２のうちいずれか一項記載のディスクローディング装置。
【請求項４】
前記光ディスクに記録された情報を取得する情報取得手段と、
複数の情報を格納する記憶手段と、
前記情報取得手段によって取得した前記情報と前記画像データ取得手段によって取得した画像データとを関連付けて前記記憶手段に書き込む書き込み手段と
を設けたことを特徴とする請求項１から請求項３のうちいずれか一項記載のディスクローディング装置。
【請求項５】
前記情報取得手段によって取得した前記情報と前記画像データ取得手段によって取得した画像データとを関連付けしてデジタルオーディオプレーヤへデータ転送可能に構成したことを特徴とする請求項１から請求項４のうちいずれか一項記載のディスクローディング装置。
【発明の詳細な説明】
【技術分野】
【０００１】
この発明は、ＣＤ（コンパクトディスク）やＤＶＤ（デジタル・バーサタイル・ディスク）に例示される光ディスクを用いるディスクローディング装置に係り、特に、光ディスクのローディング時に、光ディスクに記録された音声関連情報等の情報データに対応する画像データを取得するとともに、その取得した画像データを音声関連情報等の情報データと関連付けしてデジタルオーディオプレーヤへデータ転送可能に構成したディスクローディング装置に関する。
【背景技術】
【０００２】
近年、デジタル技術の進歩に伴い、音楽情報再生装置においても、音楽情報をデジタル情報として扱う携帯型のデジタルオーディオプレーヤが急速に普及している。このようなデジタルオーディオプレーヤは、パーソナルコンピュータを介して音楽ＣＤに記録されている音楽信号データを転送することで音楽を楽しむことができる。
【０００３】
一方、インターネット経由でアクセスしてくるユーザに対し、音楽信号データを提供するとともに、市販の音楽ＣＤに関する情報を提供するサービスが一般化しつつある。こうしたサービスを提供するディスク情報データベースは、市販されている各種の音楽ＣＤに関する詳細な情報（テキスト情報等の属性情報）を予めデータベースのシステムに蓄積しておき、ユーザの要求に応じて、各種の音楽ＣＤに関する詳細な情報を提供している。
【０００４】
ユーザは、上記のような音楽関連サイトを介して音楽信号データをダウンロードしてデジタルオーディオプレーヤへデータ転送したり、ディスク情報データベースを利用することにより、音楽ＣＤのアルバムタイトル、曲タイトル、アーチスト等に関する情報（テキスト情報等の属性情報）を楽曲の情報データとリンクさせて記録し、再生中の曲の情報をデジタルオーディオプレーヤ本体に表示したり、聞きたい曲を検索するために使用している。
【０００５】
また、上記のデジタルオーディオプレーヤにおいては、曲の再生の進行に伴い、対応するジャケット画像や歌詞テキスト等を自動的に切り換えながら表示するように構成されている。
【０００６】
ところで、従来のオーディオシステムには、多数の音楽ＣＤの中から一つの音楽ＣＤを容易に検索することができるようにするために、例えば、チェンジャ付きＣＤプレーヤに装着された各音楽ＣＤのレーベルを読み取るレーベル読み取り部と、この音楽ＣＤのレーベルを音楽ＣＤのメディア画像としてディスプレイ画面に表示するメディア表示部とからなるメディア画像表示装置を備えたものが提案されている（例えば、特許文献１参照）。
【０００７】
このメディア画像表示装置におけるレーベル読み取り部には、ＣＣＤ等のイメージセンサが用いられている。そして、このイメージセンサは、音楽ＣＤのレーベル面の半径方向に対向して配置され、一度に音楽ＣＤの半径方向の画像が読み取れるように構成されている。このように、音楽ＣＤのレーベル画像を読み取り、ディスプレイ画面に表示するように構成することにより、容易に所望の音楽ＣＤを選択できるようにしている。
【０００８】
さらに、従来のオーディオシステムには、多数の音楽ＣＤの中から一つの音楽ＣＤを容易に検索することができるようにするために、その音楽ＣＤに添付されたジャケットの画像をイメージスキャナで読み取り、その読み込んだ画像データをディスプレイ画面に表示するように構成し、表示されたジャケット画像を検索の手がかりにする技術が提案されている（例えば、特許文献２参照）。
【０００９】
また、上記のように、音楽ＣＤに添付されたジャケットの画像を読み取り、表示する他の方法としては、音楽ＣＤの記録内容に対応した情報を印刷したジャケットが装着された音楽ＣＤ用のケースを保持するホルダを設け、このホルダへ装填し保持されたケースに装着されたジャケットの画像をホルダ内に設けたスキャナあるいはカメラ等からなる撮像部で読み取り、その読み取ったジャケット画像を表示部で表示するように構成した技術が提案されている（例えば、特許文献３参照）。
【００１０】
上記のようにして取得され、表示された音楽ＣＤのレーベル画像やジャケット画像は、その音楽ＣＤの内容を連想するために有効な情報であり、音楽ＣＤに記録されている楽曲を再生中もレーベル画像やジャケット画像を表示することにより、再生中の楽曲のアーチストやアーチストのイメージを容易に把握することができ、ユーザが音楽をより深く楽しむことが期待できる。
【００１１】
【特許文献１】特開平９−１４７５３９号公報
【特許文献２】特開平９−３１１７９９号公報
【特許文献３】特開２００４−２６５５２６号公報
【発明の開示】
【発明が解決しようとする課題】
【００１２】
ところで、上述したデジタルオーディオプレーヤは、パーソナルコンピュータとの関連性が高く、したがって、パーソナルコンピュータを使用すればデジタルオーディオプレーヤの性能をフルに発揮させることは可能であるが、パーソナルコンピュータを持っていなかったり、あるいは使用することが困難なユーザは、デジタルオーディオプレーヤを利用することができないことになる。
【００１３】
また、一般に使用されているホーム用オーディオセットでは、上述したディスク情報データベースを利用することにより、音楽ＣＤのアルバムタイトル、曲タイトル、あるいはアーチスト等に関する情報（テキスト情報等の属性情報）を転送することはきわめて困難である。
【００１４】
また、現在製品化されているホーム用オーディオセットの中には、その本体内にＨＤＤ（ハードディスクドライブ）を内蔵し、ある程度のディスク情報データベースを保有させた構成のものが存在する。このような構成のホーム用オーディオセットは、旧来の曲に関しては、そのＨＤＤに予め保有させたディスク情報データをデジタルオーディオプレーヤへ転送することはできるが、新曲の音楽ＣＤが発売されると、そのディスク情報データを保有していないという矛盾が生じてしまっていた。
【００１５】
しかし、パーソナルコンピュータを使用することはできないが、デジタルオーディオプレーヤは使用したいというユーザは、上記のようなホーム用オーディオセットを選択することになる。しかし、ホーム用オーディオセットもＨＤＤを内蔵しているために、使用方法がパーソナルコンピュータに近似したものとなり、誰でもが使用できる構成のホーム用オーディオセットではないという問題があった。
【００１６】
上記の問題を解決するために、デジタルオーディオプレーヤ用の入出力部を備えたホーム用オーディオセットも用意されているが、デジタルオーディオプレーヤの音楽を聞くことはできても、音楽ＣＤに対応するディスク情報データを転送することができない、もしくはタイトル等の情報データを取り込むことができない等の欠点があった。
【００１７】
また、上記例示の特許文献１〜３では、音楽ＣＤのレーベル画像を読み取り、ディスプレイ画面にレーベル画像を表示する技術、あるいは音楽ＣＤに添付されたジャケットの画像を読み取り、その読み取ったジャケット画像を表示する技術に関しては開示されているが、その取得した画像データを音楽信号データと関連付けしてデジタルオーディオプレーヤへデータを転送可能にする技術手段については、全く提案されていない。
【００１８】
さらに、上記例示の特許文献１〜３には、音楽ＣＤの再生動作中にレーベル画像あるいはジャケット画像を表示するように構成しているが、音楽ＣＤが例えば、１０曲前後の楽曲が収録されたアルバムである場合に、この音楽ＣＤに対応した同じレーベル画像あるいはジャケット画像が継続して表示されることになり、その表示が極めて単調になるという問題点があった。
【００１９】
この発明は、このような従来の構成が有していた問題を解決しようとするものであり、光ディスクのローディング時に、光ディスクに記録された音声関連情報等の情報データに対応する画像データを取得し、その取得した画像データを音声関連情報等の情報データと関連付けしてデジタルオーディオプレーヤへデータ転送することを可能にしたディスクローディング装置を提供することにある。
【００２０】
さらに、この発明は、音楽ＣＤ等の光ディスクに添付されているジャケット等の画像データだけでなく、ユーザが作成した手書きのタイトル情報等の各種の画像データを、例えば、一曲ごとに対応させて取得できるようにして、ユーザが利用する画像データの内容に自由度を持たせることができるようにし、楽曲再生中に視覚的に単調になることを防止するとともに、この取得した複数の画像データと光ディスクの情報データを関連付けして、デジタルオーディオプレーヤへのデータ転送を可能としたディスクローディング装置を提供することを目的としている。
【課題を解決するための手段】
【００２１】
上記の目的を達成するために、この発明のディスクローディング装置は、光ディスクを再生可能な位置へローディングし、または光ディスクを排出するトレイを備えたディスクローディング装置において、光ディスクに対応する情報を標記したジャケットサイズの用紙をトレイに載置した光ディスクの上面側へ重畳配置するように構成するとともに、光ディスクのローディング時に、光ディスクの上面側へ重畳配置した用紙の表面を画像データとして読み取る画像データ取得手段を備えたものである。
【００２２】
上記の課題解決手段による作用は次のとおりである。すなわち、光ディスクのローディング時に、光ディスクの上面側へ重畳配置したジャケットサイズの用紙は、光ディスクの移送と連動して同時に移送される。このジャケットサイズの用紙の移送動作に同期して、その用紙の表面を画像データ取得手段で画像データとして読み取る。光ディスク再生時には、再生された光ディスクの情報データに対応する画像データにより、ユーザは、現在再生されている情報データがいずれの光ディスクから取得されたものであるかを容易に判断することができる。
【００２３】
また、上記の発明は、外部との通信手段や独自の規格等を用いることなく必要な情報をユーザへ提供することができる。つまり、この光ディスクの情報データに対応する画像データを光ディスクの情報データと関連付けして記憶手段に記憶することにより、デジタルオーディオプレーヤへのデータ転送を可能にしている。
【００２４】
さらに、上記の発明に係るディスクローディング装置は、既存の構成を維持しつつもジャケットサイズの用紙の表面を読み取り、その読み取った画像データを活用するための手段をさらに付加した構成である。そのため非常に安価かつ簡単な構成で上記の高価を奏することができる。
【００２５】
そして、また、この発明は、上記のディスクローディング装置において、以下の態様の発明をも提供するものである。
【００２６】
請求項２に記載のディスクローディング装置は、光ディスクを載置したトレイにジャケットサイズの用紙が載置されていない場合は、画像データ取得手段が光ディスクのレーベル面を画像データとして読み取るように構成したものである。
【００２７】
この課題解決手段による作用は、次のとおりである。光ディスクが載置されたトレイにジャケットサイズの用紙が載置されていない場合、ラインセンサは、光ディスクのローディング時に、ジャケットサイズの用紙の表面に変わって、光ディスクのレーベル面を読み取り、画像データを得る。この光ディスクのローディング時に読み取られたレーベル面に関する画像データは、光ディスクから読み取られた情報データと関連付けられて記憶部に記憶される。
【００２８】
この結果、ユーザは、レーベル面の画像データにもとづく表示等によって、現在再生中の情報データに対応する光ディスクを容易かつ正確に把握することができる。また、外部との通信手段や独自の規格等を用いることなく、必要な情報をユーザへ提供することが可能となる。つまり、この光ディスクのレーベル面の画像データを光ディスクの情報データと関連付けして記憶手段に記憶することにより、デジタルオーディオプレーヤへのデータ転送が可能となる。
【００２９】
また、請求項３に記載のディスクローディング装置は、光ディスクのローディング時に、トレイに載置された前記光ディスクと、この光ディスクの上面側に重畳配置されたジャケットサイズの用紙とを分離する分離手段を備えたものである。
【００３０】
この課題解決手段による作用は、次のとおりである。光ディスクの上面側に重畳配置されたジャケットサイズの用紙を分離する分離手段を設けたことにより、光ディスクがディスク・クランプ手段にクランプされる以前に、光ディスクに重畳配置したジャケットサイズの用紙を分離させることにより、光ディスクのクランプ動作あるいは再生動作にジャケットサイズの用紙が影響を与えないようにしている。
【００３１】
さらに、請求項４に記載のディスクローディング装置は、光ディスクに記録された情報を取得する情報取得手段と、複数の情報を格納する記憶手段と、上記情報取得手段によって取得した情報と上記画像データ取得手段によって取得した画像データとを関連付けて記憶手段に書き込む書き込み手段とを設けたものである。
【００３２】
この課題解決手段による作用は、次のとおりである。光ディスクのローディング時に読み取られたジャケットサイズの用紙の表面に関する画像データと光ディスクから読み取られた情報データとが関連付けられて記憶手段に記憶される。そして、光ディスクの再生時に、光ディスクの情報データに対応する画像データにもとづく表示等により、ユーザは、現在再生されている情報データがいずれの光ディスクから取得されたものであるかを容易にかつ正確に判断することができる。
【００３３】
また、請求項５に記載のディスクローディング装置は、情報取得手段によって取得した情報と画像データ取得手段によって取得した画像データとを関連付けしてデジタルオーディオプレーヤへデータ転送可能に構成したものである。
【００３４】
この課題解決手段による作用は、次のとおりである。光ディスクのローディング時に読み取られた画像データと、情報取得手段によって取得した光ディスクの情報データとを関連付けて記憶手段に書き込み、この書き込んだデータをデジタルオーディオプレーヤへデータ転送することができる。この結果、パーソナルコンピュータや通信手段を使用することなく、ユーザの要求に応じて、例えば、音楽ＣＤのアルバムタイトル、曲タイトル等に関する画像データ、あるいはユーザ自身が手書きし作成した画像データ等をデジタルオーディオプレーヤへデータ転送し、再生動作に合わせて関連する画像を表示することができる。
【発明の効果】
【００３５】
この発明に係るディスクローディング装置は、光ディスクのローディング時に、光ディスクに記録された音声関連情報等の情報データに対応する画像データを取得することができるとともに、その取得した画像データを音声関連情報等の情報データと関連付けを行なう。そして、光ディスクの再生時には、再生対象の情報データと関連付けられている画像データを表示する。これにより、ユーザは、現在再生中の情報データに対応する光ディスクを容易かつ正確に把握することができる。また、再生対象の情報データと関連付けられた画像データは、パーソナルコンピュータを使用することなく、デジタルオーディオプレーヤへデータ転送することが可能となる。
【００３６】
また、この発明に係るディスクローディング装置は、音楽ＣＤ等の光ディスクに添付されているジャケット等の画像データだけでなく、ユーザが作成した手書きのタイトル情報等の各種の画像データを例えば、一曲ごとに対応させて取得することができる。この取得した画像データを音声関連情報等の情報データと関連付けを行なうことにより、デジタルオーディオプレーヤへデータ転送することが可能となる。しかも、本発明に係るディスクローディング装置は、既存の構成にジャケットサイズの用紙の表面を読み取るための構成を付加するという安価かつ簡素な構成によって、上記の効果を奏することができる。
【発明を実施するための最良の形態】
【００３７】
この発明の実施の形態を実施例にもとづき図面を参照して説明する。
図１は、この発明の実施例の要部構成を示す斜視図である。図２の（ａ）、（ｂ）および図３の（ａ）、（ｂ）は、図１に示すディスクローディング装置のローディング動作の過程を説明するための模式断面図である。図４は、図１に示すディスクローディング装置において、光ディスクおよびジャケットサイズの用紙を排出する動作を説明するための模式断面図である。
【００３８】
なお、この発明に係るディスクローディング装置を説明するにあたり、一例として、デジタルオーディオ情報を記録した音楽ＣＤを扱うディスクローディング装置の例を用いて行なうが、この発明は、これに限定されるものではなく、各種の光ディスクを扱うことができるディスクローディング装置に、画像データを読み込む機能を備えるものであれば、同等の趣旨で同等の作用効果を発揮することが可能である。
【００３９】
図１において、１はトレイで、直径８ｃｍ、および直径１２ｃｍの音楽ＣＤをローディングあるいは排出する際に載置し、その載置した音楽ＣＤをオーディオシステム本体（図示しない）のターンテーブル上まで移送、あるいは音楽ＣＤをオーディオシステム本体外へ引き出すように構成されている。
【００４０】
このトレイ１には、ディスクローディング時の音楽ＣＤの位置決め、およびディスクローディング完了時の音楽ＣＤの保持を容易にするために、概略直径が８ｃｍと概略直径が１２ｃｍの概略円形で凹部からなるディスク載置部１１、１２が形成されている。この２つのディスク載置部１１、１２は、それぞれ同一平面上にはなく、８ｃｍの音楽ＣＤに対応するディスク載置部１１は、１２ｃｍの音楽ＣＤのディスク載置部１２よりも、さらに一段深い位置に形成されている。
【００４１】
また、この発明に係るディスクローディング装置のトレイ１には、１２ｃｍの音楽ＣＤに添付されているジャケットと同サイズの用紙を載置することができる大きさの概略四角形の凹部からなる用紙載置部１３を備えている。この用紙載置部１３は、１２ｃｍの音楽ＣＤを載置するディスク載置部１２よりも、一段高い位置に形成されている。
【００４２】
また、この実施例における用紙載置部１３は、ジャケットサイズの用紙の四隅を載置した時、その下側に載置された１２ｃｍの音楽ＣＤの上面と僅かに離間した状態でジャケットサイズの用紙が重畳配置されるように構成されている。このように形成した用紙載置部１３には、音楽ＣＤに添付されているジャケットはもとより、ユーザがジャケットサイズの用紙を用いて作成した手書きのタイトル情報等、種々の情報を標記したジャケットサイズの用紙を載置することができるように形成されている。
【００４３】
２は左右一対の分離板で、傾斜部２１を先端部分に形成するとともに、ジャケットサイズの用紙をディスク・クランプ機構の上方に離間させて待機させるための用紙支持部２２を傾斜部２１の後方に連続して形成している。
【００４４】
このように形成した分離版２は、音楽ＣＤのローディング時に、トレイ１による音楽ＣＤとジャケットサイズの用紙の移送動作に伴って接近してくる音楽ＣＤとジャケットサイズの用紙との間の僅かな隙間に傾斜部２１の先端が入り、トレイ１に載置された音楽ＣＤと、この音楽ＣＤの上面側に僅かに離間した状態で重畳配置されたジャケットサイズの用紙とを傾斜部２１の傾斜面に沿って次第に分離するように構成されている。この時、傾斜部２１の先端は、移送されてくる音楽ＣＤの上面へは接触しない高さに配置されている。また、分離されたジャケットサイズの用紙は、傾斜部２１の傾斜面に沿って登り、用紙支持部２２に至り、ディスク・クランプ機構３の上方に離間した状態で待機するように構成されている。
【００４５】
さらに、上記トレイ１には、トレイ１の奥の対称位置において、上方に突出させて設けた２つの押圧部材１４を備えている。この２つの押圧部材１４は、トレイ１に設けた用紙載置部１３を形成する凹部の奥側の壁面１３１に沿って形成した当接面１４１をそれぞれ有している。
【００４６】
この押圧部材１４の当接面１４１は、トレイ１が音楽ＣＤを排出方向へ移動する際に、ディスク・クランプ機構３の位置より上の位置に離間した状態で待機中のジャケットサイズの用紙の端縁に当接して、トレイ１の排出方向への移動とともに、ジャケットサイズの用紙をトレイ１の用紙載置部１３へ押し戻し、音楽ＣＤの排出動作に連動して、ジャケットサイズの用紙を排出し、用紙載置部１３へ再載置するように構成している。
【００４７】
４はラインセンサで、トレイ１に載置されたジャケットサイズの用紙の幅以上の読み取り範囲を有し、かつ音楽ＣＤがローディングされる方向と直交する方向に沿って配置されている。さらに、このラインセンサ４は、オーディオシステム本体に設けた音楽ＣＤの挿入口の上部に設けている。このように、ラインセンサ４を音楽ＣＤの挿入口の上部に設けたことにより、音楽ＣＤのローディング時における音楽ＣＤと、その音楽ＣＤとともに移送されるジャケットサイズの用紙の移送動作を妨げることなく、かつ移送されるジャケットサイズの用紙の表面を正確に読み取り、画像データを取得することができるように構成されている。
【００４８】
また、このラインセンサ４は、音楽ＣＤのローディング時に、同時に移送されるジャケットサイズの用紙の表面を周期的に読み取り、画像データを取得するように構成されている。すなわち、このラインセンサ４による一回の読み取り動作で得られるデータは、長手方向に歪みのない線状データである。このラインセンサ４の周期的な読み取り動作によって得られる線状データは、順次、記憶部（図示しない）へ記憶される。この記憶部は、ジャケットサイズの用紙の移送動作開始から終了時までに得られる複数の線状データを一時的に保管するように構成されている。
【００４９】
また、上記のように、音楽ＣＤのローディング時に読み取られたジャケットサイズの用紙の表面に関する画像データと、音楽ＣＤから読み取られた音楽信号データとが関連付けられて記憶部に記憶される。そして、音楽ＣＤの再生時には、対応する画像データを表示部（図示しない）へ表示することにより、ユーザが、現在再生されている音楽信号データがいずれの音楽ＣＤから取得されたものであるかを容易にかつ正確に判断することができるように構成されている。
【００５０】
さらに、音楽ＣＤのローディング時に読み取られたジャケットサイズの用紙の表面に関する画像データと、音楽ＣＤから読み取られた音楽信号データとが関連付けられて記憶部に記憶され、デジタルオーディオプレーヤへデータ転送することができるように構成されている。この結果、パーソナルコンピュータや通信手段を使用することなく、ユーザの要求に応じて、例えば、音楽ＣＤのアルバムタイトル、曲タイトル等に関する画像データ、あるいはユーザ自身が手書きし作成した画像データをデジタルオーディオプレーヤへデータ転送し、再生動作に合わせて関連する画像を表示することができるように構成されている。
【００５１】
また、上記ラインセンサ４は、トレイ１にジャケットサイズの用紙が載置されていない場合は、音楽ＣＤのローディング時に、ジャケットサイズの用紙の表面に変わって、音楽ＣＤのレーベル面を読み取り、画像データを得るように構成されている。この音楽ＣＤのローディング時に読み取られたレーベル面に関する画像データは、音楽ＣＤから読み取られた音楽信号データと関連付けられて記憶部へ記憶されるように構成されている。
【００５２】
次に、上記のように構成した実施例の一連の作動状態を図２の（ａ）、（ｂ）および図３の（ａ）、（ｂ）と、図４にもとづき説明する。また、音楽ＣＤとして１２ｃｍの音楽ＣＤを用いた場合を例に説明する。
【００５３】
まず、トレイ１を図２の（ａ）に示すように、オーディオシステム本体外へ引き出し、
デジタルオーディオプレーヤへ転送したい音楽信号データを記録した音楽ＣＤ５をトレイ１のディスク載置部１２へ載置する。次に、先に載置した音楽ＣＤ５に重ねるような状態で、ジャケットサイズの用紙６をトレイ１の用紙載置部１３へ載置する。この時、音楽ＣＤ５の上面側と用紙６の裏面との間に僅かな間隙を生じさせた状態で上下に、それぞれ載置される。
【００５４】
なお、用紙載置部１３へ載置する用紙６は、音楽ＣＤ５に添付されたジャケット、あるいはジャケットサイズの用紙にユーザ自身が手書き等により作成した文字やプリントした写真など、ユーザのアイディアに応じて自由に選択し、載置することが可能である。
【００５５】
次に、クローズキ（図示しない）が押されて、トレイ１がローディング動作を開始すると、図２の（ｂ）に示すように、ラインセンサ４は、トレイ１に載置された用紙６の移送に連動して、用紙６の表面にピントを合わせて周期的に読み取り、画像データとして記憶部へ記憶する。この記憶部は、用紙６の移送開始から終了までに得られる複数の線状データを一時的に保管する。
【００５６】
また、上記ローディング動作が開始されると同時に、図２の（ｂ）に示すように、音楽ＣＤ５と用紙６との間の僅かな隙間に分離板２に形成した傾斜部２１の先端が入り、音楽ＣＤ５の上面側に重畳配置された用紙６を傾斜部２１の傾斜面に沿って音楽ＣＤ５から次第に分離される。そして、この分離された用紙６は、傾斜部２１の傾斜面に沿って登り、ローディング動作完了時には、図３の（ａ）に示すように、用紙６は、用紙支持部２２に至り、ディスク・クランプ機構３の上方に離間した状態で待機する。
【００５７】
このように、用紙６をディスク・クランプ機構３の位置より上の位置に離間させて待機させるように構成したことにより、分離した用紙６が音楽ＣＤ５のクランプ動作および再生動作に影響を与えないようにするとともに、音楽ＣＤ５の排出動作時のトレイ１の動作に連動して待機中の用紙６を排出することができる態勢を保持している。
【００５８】
一方、ローディング動作が完了した音楽ＣＤ５は、図３の（ｂ）に示すように、上昇移動してくるディスク・クランプ機構３のターンテーブル３１によって、円心部を上方に押し上げられる。そして、ターンテーブル３１が音楽ＣＤ５を所定の高さまで押し上げると同時に、音楽ＣＤ５は、ターンテーブル３１とクランパホルダ３２とによって、その円心部を厚み方向に挟み込まれ、保持され、再生状態に入ることができる。
【００５９】
このようにして取得した音楽ＣＤ５の音楽信号データと、記憶部に記憶したラインセンサ４で読み込んだ画像データとを関連付けて記憶部に記憶する。そして、この記憶部の記憶にもとづき、音楽ＣＤ５の再生時には、再生対象の音楽信号データと関連付けられている画像データを表示することができる。これにより、ユーザは、現在再生中の情報に対応する音楽ＣＤ５を容易かつ正確に把握することができる。
【００６０】
また、音楽ＣＤ５に添付されているジャケット等の画像データだけでなく、ユーザが作成した手書きのタイトル情報等の各種情報を標記した用紙６を、例えば、一曲ごとに変えて、その都度画像データを取得することが可能となり、各曲に対応した画像データを表示させることができ、楽曲再生中に視覚的に単調になることを防止することができる。
【００６１】
また、パーソナルコンピュータや通信手段を使用することなく、ユーザの要求に応じて、例えば、音楽ＣＤ５のアルバムタイトル、曲タイトル等に関する情報、あるいはユーザ自身が手書きし作成した情報等を読み込んだ画像データを音楽ＣＤ５の音楽信号データと関連付けして、デジタルオーディオプレーヤへのデータ転送を可能にしている。
【００６２】
一方、音楽ＣＤ５の排出動作時には、図４に示すように、トレイの排出動作に連動して待機中の用紙６をトレイ１に設けた押圧部材１４の当接壁面１４１によって、トレイ１の用紙載置部１３へ押し戻し、音楽ＣＤ５の排出動作に連動して排出することができる。この時、図１に示すように、押圧部材１４の当接壁面１４１をトレイ１に設けた用紙載置部１３を形成する凹部の奥側の壁面１３１に沿って形成したことにより、用紙６をトレイ１に設けた用紙載置部１３へ確実に押し戻し、正確に再載置することができる。
【００６３】
また、音楽ＣＤ５を載置したトレイ１に用紙６が載置されていない場合は、ラインセンサ４が音楽ＣＤ５のローディング時に、用紙６の表面に変わって、音楽ＣＤ５のレーベル面を読み取り、画像データを得る。音楽ＣＤ５のローディング時に読み取られたレーベル面に関する画像データは、音楽ＣＤ５から読み取られた音楽信号データと関連付けられて記憶部に記憶される。この関連付けられた音楽信号データとレーベル画像データは、パーソナルコンピュータや通信手段を使用することなく、デジタルオーディオプレーヤへのデータ転送を実行することができる。
【図面の簡単な説明】
【００６４】
【図１】この発明の実施例の要部構成を示す斜視図である。
【図２】図１に示すディスクローディング装置のローディング動作の過程を説明するための模式断面図である。
【図３】図１に示すディスクローディング装置のローディング動作の過程を説明するための模式断面図である。
【図４】図１に示すディスクローディング装置において、光ディスクおよびジャケットサイズの用紙を排出する動作を説明するための模式断面図である。
【符号の説明】
【００６５】
１      トレイ
１１    ディスク載置部
１２    ディスク載置部
１３    用紙載置部
１３１  壁面
１４    押圧部材
１４１  当接壁面
２      分離版
２１    傾斜部
２２    用紙支持部
３      ディスク・クランプ機構
３１    ターンテーブル
３２    クランパホルダ
４      ラインセンサ
５      音楽ＣＤ
６      ジャケットサイズの用紙
【図１】
2007311008.tif 000003
【図２】
2007311008.tif 000004
【図３】
2007311008.tif 000005
【図４】
2007311008.tif 000006